(57)【特許請求の範囲】
【請求項１】
上部に蓋体を有する洗浄槽と、前記洗浄槽内を減圧する減圧手段と、前記洗浄槽内に気体を導入する給気手段を備え、減圧下の前記洗浄槽内の洗浄液中に気体を導入し洗浄液を上昇，下降させて被洗浄物の洗浄を行う洗浄装置において、
前記蓋体に、前記洗浄槽内に開口する減圧手段における排気路の開口部と対峙するようにじゃま板を前記蓋体から垂下するようにして設け、
前記蓋体は、その一辺が前記蓋体とともに前記洗浄槽を構成する容器本体の開口部の一辺にヒンジにより回動可能に取り付けたものからなり、前記蓋体には液受け板を、前記ヒンジ近傍でかつ閉鎖時に前記容器本体の開口部内に収まる位置に、前記蓋体が取り付けられている前記容器本体の開口部の一辺と略平行に設けたことを特徴とする洗浄装置。
【請求項２】
前記じゃま板は、少なくとも前記排気路の開口部よりも大きく、そして、前記じゃま板の少なくとも一側端と前記洗浄槽の内壁との間及び前記じゃま板の下端と前記洗浄槽内に供給した洗浄液の上面との間に通気路を保有する形状となっていることを特徴とする請求項１に記載の洗浄装置。
【請求項３】
前記じゃま板及び／または液受け板に、前記蓋体を閉じたときに前記洗浄槽内に配置されたバスケットを下方に押さえる押さえ蓋を着脱可能に保持する押さえ蓋保持部を設けたことを特徴とする請求項１または２のいずれか１に記載の洗浄装置。
【発明の詳細な説明】
【技術分野】
【０００１】
本発明は、主に、医療器具、電子部品機械部品などの洗浄に好適な洗浄装置に関する。
【背景技術】
【０００２】
電子部品機械部品などを洗浄する洗浄装置として、洗浄槽内に被洗浄物を浸漬し、洗浄槽内を減圧し、減圧した洗浄槽内に気体を導入して洗浄液を激しく上昇，下降させる洗浄装置が提案されている（例えば、特許文献１参照。）。
この洗浄装置によれば、密閉容器からなる洗浄槽内に所定レベルまで洗浄液を貯え、さらに洗浄槽下部に大気を導入するパイプを設けておき、洗浄時に洗浄槽内を減圧した状態で被洗浄物よりも下方から洗浄槽内に気体を導入することにより、気泡の膨張によって洗浄液を噴き上げるように激しく上昇させる。この減圧下の洗浄液への気体導入による液の上昇と下降により被洗浄物の洗浄を効果的に行わせる。
【先行技術文献】
【特許文献】
【０００３】
【特許文献１】特開平２−８６８７８号公報
【発明の概要】
【発明が解決しようとする課題】
【０００４】
しかしながら、上記の洗浄装置によれば、減圧下への気体の導入により上昇させた洗浄液が洗浄槽の上部に有する蓋体に接触し、表面張力によって留まった状態から蓋板に設けた吸込口に流れる、あるいは減圧下への気体の導入によって上昇した洗浄液が直接吸込口に入り込んで減圧手段側に吸い込まれ、洗浄槽から持ち出されるといった事態が生じる場合がある。洗浄槽から洗浄液が持ち出されると洗浄槽内の洗浄液は減少し、洗浄ができなくなってしまう。このため、静的に常に洗浄槽内における洗浄液の一定の液位を検出できるようにしておき、洗浄槽から洗浄液が持ち出された分の給水を行うことになる。この結果、給水により、洗浄液における洗浄剤濃度の低下や洗浄液温度の低下を引き起こすことになり、洗浄剤の追加や洗浄液の加熱が必要となるので、洗浄剤やエネルギーのロスを生じるといった問題がある。
【０００５】
また、洗浄槽内に貯える洗浄液の液面と上部の蓋体との距離を大きくして、減圧下への気体の導入によって上昇した洗浄液が蓋板に設けた吸引口に引き込まれないようにする方法も技術的に考えられるが、洗浄槽が深くなり、被洗浄物の出し入れの作業が困難になるとともに気相部の空間が大きくなることにより、減圧時に時間を要することになるといった問題もある。
【０００６】
本発明の目的は、被洗浄物の出し入れの困難性を解消するとともに、減圧した洗浄槽内へ気体を導入することによって上昇した洗浄液が減圧手段に吸い込まれないようにして、洗浄剤やエネルギーのロスを防ぐことができる洗浄装置を提供することにある。
【課題を解決するための手段】
【０００７】
上記の目的を達成するために、請求項１に記載の発明は、上部に蓋体を有する洗浄槽と、前記洗浄槽内を減圧する減圧手段と、前記洗浄槽内に気体を導入する給気手段を備え、減圧下の前記洗浄槽内の洗浄液中に気体を導入し洗浄液を上昇，下降させて被洗浄物の洗浄を行う洗浄装置において、前記蓋体に、前記洗浄槽内に開口する減圧手段における排気路の開口部と対峙するようにじゃま板を前記蓋体から垂下するようにして設け、前記蓋体は、その一辺が前記蓋体とともに前記洗浄槽を構成する容器本体の開口部の一辺にヒンジにより回動可能に取り付けたものからなり、前記蓋体には液受け板を、前記ヒンジ近傍でかつ閉鎖時に前記容器本体の開口部内に収まる位置に、前記蓋体が取り付けられている前記容器本体の開口部の一辺と略平行に設けたことを特徴とする。
【０００８】
請求項１に記載の発明によれば、減圧下への気体の導入によって上昇した洗浄液は、前記減圧手段による吸引により、前記洗浄槽内に開口する排気路の開口部側へ吸引されて移動し、また、前記洗浄槽の上部に有する前記蓋体を伝わって前記洗浄槽内に開口する排気路の開口部側へ移動するが、この洗浄液の移動は前記排気路の開口部と対峙するように前記蓋体から垂下するようにして設けたじゃま板により妨げられ、じゃま板を伝って洗浄槽内の洗浄液側に落下するので、洗浄槽の高さを高くすることなく、減圧下への気体の導入によって上昇した洗浄液が前記排気路の開口部から前記洗浄槽外へ持ち出されることを抑えることができる。
また、請求項１に記載の発明によれば、前記蓋体を開いたとき、前記蓋体を伝わって流下する前記蓋体の内面に付着している液体が前記液受け板に受けられ、誘導されて前記洗浄槽内へ入るので、液体が前記洗浄槽の外へ落ちることを防止できる。
【０００９】
請求項２に記載の発明は、請求項１に記載の、前記じゃま板は、少なくとも前記排気路の開口部よりも大きく、そして、前記じゃま板の少なくとも一側端と前記洗浄槽の内壁との間及び前記じゃま板の下端と前記洗浄槽内に供給した洗浄液の上面との間に通気路を保有する形状となっていることを特徴とする。
【００１０】
請求項２に記載の発明によれば、前記じゃま板の少なくとも一側端と前記洗浄槽の内壁との間及び前記じゃま板の下端と前記洗浄槽内に供給した洗浄液の上面との間に通気路を保有する形状となっているので、前記じゃま板の存在が減圧手段による洗浄槽内の減圧の妨げにならないと共に、前記じゃま板は、少なくとも前記排気路の開口部よりも大きい形状となっているので、前記通気路を保有していても気体の導入によって上昇して前記排気路の開口部側へ吸引され移動する洗浄液は前記じゃま板によりその移動が妨げられるので、洗浄槽の高さを高くすることなく、前記排気路の開口部から前記洗浄槽外へ持ち出されることを抑えることができる。
【００１１】
請求項３に記載の発明は、請求項１または２のいずれか１に記載の、前記じゃま板及び／または液受け板に、前記蓋体を閉じたときに前記洗浄槽内に配置されたバスケットを下方に押さえる押さえ蓋を着脱可能に保持する押さえ蓋保持部を設けたことを特徴とする。
【００１２】
請求項３に記載の発明によれば、蓋体を開いて、洗浄槽内へ被洗浄物が収容されたバスケットを配置し、また洗浄槽内から被洗浄物が収容されたバスケットを取り出す作業時に、洗浄運転中に洗浄槽内でバスケットの開口部に置かれる押さえ蓋を押さえ蓋保持部に保持させておくことにより、蓋体を押さえ蓋の収納場所として利用することができる。
【発明の効果】
【００１３】
本発明によれば、洗浄槽の高さを高くすることなく、減圧下に導入した気体により起こる洗浄液の上昇によって、洗浄液が洗浄槽内に開口する減圧手段における排気路の開口部から洗浄槽外へ持ち出されることを抑えることができるので、洗浄槽内への追加給水を減ずることができ、過度な追加給水による洗浄液における洗浄剤濃度の低下や洗浄液温度の低下を防止できることから、洗浄剤やエネルギーのロスを防ぐことができる。
さらに、蓋体を開いたとき、蓋体を伝わって流下する洗浄液を液受け板が洗浄槽内へ誘導するので、洗浄液が洗浄槽の外へ落ちることを防止できる。また、洗浄運転中に洗浄槽内でバスケットの開口部に置かれる押さえ蓋を、非運転時に押さえ蓋保持部に保持させておくことにより、蓋体を押さえ蓋の収納場所として利用することができる。
【図面の簡単な説明】
【００１４】
【図１】本発明に係る洗浄装置の実施の形態の参考例を示す概略構成図である。
【図２】参考例の洗浄装置の洗浄槽の一部省略横断面図である。
【図３】じゃま板の他例を示す洗浄装置の洗浄槽の一部省略横断面図である。
【図４】参考例の洗浄装置における噴き上げられて上昇した洗浄液の状態を示す説明図である。
【図５】本発明に係る洗浄装置の実施の形態の第１例を示す一部省略斜視図である。
【図６】本例に示す液受け板の他例を示す一部省略斜視図である。
【図７】本例の洗浄装置の蓋体を閉じた状態を示す概略構成図である。
【図８】本例の洗浄装置の非運転時に、蓋体に押さえ蓋を保持させた状態を示す一部省略斜視図である。
【図９】本例の洗浄装置の蓋体を開いたとき、蓋体に付着した洗浄液の流下状態を示す説明図である。
【発明を実施するための形態】
【００１５】
以下、本発明に係る洗浄装置を実施するための形態を、図面に示す実施例を参照して詳細に説明する。
図１乃至図４は本発明に係る洗浄装置の実施の形態の参考例を示すものであり、図１は参考例の洗浄装置を示す概略構成図、図２は参考例の洗浄装置の洗浄槽の一部省略横断面図、図３はじゃま板の他例を示す洗浄装置の洗浄槽の一部省略横断面図、図４は参考例の洗浄装置における噴き上げられて上昇した洗浄液の状態を示す説明図である。
【００１６】
参考例の洗浄装置は、洗浄液１を貯留して被洗浄物２が浸漬される洗浄槽３と、洗浄槽３内の気体を外部へ吸引排出して洗浄槽３内を減圧する減圧手段４と、減圧下の洗浄槽３内の洗浄液１中に気体を導入する給気手段５と、洗浄槽３内へ給水する給水手段６と、洗浄槽３内へ洗浄剤を供給する洗浄剤供給手段７と、洗浄槽３内の洗浄液１を加熱する加熱手段８と、洗浄槽３内の洗浄液１を排出する排水手段９と、洗浄槽３内の気相部の圧力を検出する圧力センサ１０と、洗浄槽３内の液相部の温度、即ち洗浄液１の温度を検出する温度センサ１１と、常に洗浄槽３内における洗浄液１の液位を検出する液位検出手段１２と、圧力センサ１０と温度センサ１１と液位検出手段１２の検出信号などに基づいて減圧手段４，給気手段５，給水手段６，洗浄剤供給手段７，加熱手段８，排水手段９を制御する制御手段（図示せず）を備えている。
【００１７】
前記した洗浄槽３は耐圧容器であって、上部を開口する容器本体１３と、容器本体１３の開口部を開閉する蓋体１４とからなり、容器本体１３と蓋体１４との間はパッキン１５で封止されるようになっている。
【００１８】
また、減圧手段４にあっては、洗浄槽３と接続する排気路１６と、排気路１６を介して洗浄槽３内の気体を外部へ吸引排出する真空ポンプ１７とで構成されている。洗浄槽３における容器本体１３の上部には、洗浄槽３内に開口する排気路１６の開口部１８が設けられている。そして、排気路１６には、洗浄槽３と真空ポンプ１７との間に逆止弁１９が設けられている。
【００１９】
また、給気手段５にあっては、減圧下の洗浄槽３内の洗浄液１中に気体を導入する給気路２０と、洗浄槽３内の底部に設けられた給気パイプ２１とで構成されている。給気路２０には給気弁２２とフィルター２３が設けられており、洗浄槽３内が減圧された状態で給気弁２２を開くと、差圧により外気を洗浄槽３内へ導入することができるようになっている。前記した給気パイプ２１には気体を導出する気体導出孔２４が設けられている。
【００２０】
また、給水手段６にあっては、洗浄槽３と接続する給水路２５と給水源（図示せず。）とで構成されている。給水路２５には給水弁２６が設けられている。
また、洗浄剤供給手段７にあっては、洗浄槽３と接続する洗浄剤供給路２７と洗浄剤収容部２８とで構成されている。洗浄剤供給路２７には洗浄剤供給弁２９が設けられている。
【００２１】
また、加熱手段８にあっては、参考例では電気ヒータが用いられ、電気ヒータが洗浄槽３内に設けられて洗浄液１を加熱するように構成されている。
また、排水手段９にあっては、洗浄槽３の底部に排水路３０が接続された構成となっており、排水路３０には排水弁３１が設けられている。
【００２２】
このように構成した洗浄装置にあって、洗浄液１を貯留して被洗浄物２が浸漬される洗浄槽３の蓋体１４に、洗浄槽３内に開口する減圧手段４における排気路１６の開口部１８と対峙するようにじゃま板３２が蓋体１４から垂下するようにして設けられている。
じゃま板３２は、洗浄槽３内に開口する排気路１６の開口部１８よりも大きい矩形状に形成されており、そして、じゃま板３２の側端と洗浄槽３の容器本体１３の内壁との間及びじゃま板３２の下端と洗浄槽３内に供給した洗浄液１の上面との間に通気路３３，３４を保有する形状となっている（図１、図２参照。）。
【００２３】
参考例では、排気路１６の開口部１８の幅に対してじゃま板３２の長さ（図２のＬ１）は、両端とも５０ｍｍ〜１００ｍｍ長くなるようにしており、かつ、通気路３３となる容器本体１３の内壁とじゃま板３２の間は３０ｍｍ〜１００ｍｍの間隔を設けるようにしている。通気路３４となるじゃま板３２と洗浄液１の所定水位における上面との間の間隔Ｌ２は５０ｍｍ〜１００ｍｍとし、じゃま板３２と対峙する開口部１８は、じゃま板３２から外れない位置に開口しており、じゃま板３２の下端は開口部１８の下縁より下になるように設定している。じゃま板３２と洗浄槽３内に開口する開口部１８との間隔Ｌ３は３０ｍｍ〜７０ｍｍに設定している。
【００２４】
参考例では、じゃま板３２の両側端と洗浄槽３の容器本体１３の内壁との間に通気路３３を保有する形状となっているが、図３に示すように、じゃま板３２の一側端と洗浄槽３の容器本体１３の内壁との間に通気路３３を保有する形状としてもよい。
【００２５】
このように構成された参考例の洗浄装置による洗浄は、次の工程で行われる。
〈給水工程〉
先ず、給水弁２６を開き被洗浄物２が投入された洗浄槽３の容器本体１３内に給水する。このとき、給水と同時に減圧手段４を作動させて洗浄槽３内を減圧してもよい。そして、液位検出手段が設定液位まで給水されたことを検出したら給水弁２６を閉じ、給水を停止する。このとき、減圧手段４を作動させていた場合はその作動を停止し、給気を行う。
【００２６】
〈洗浄剤投入工程〉
次に、減圧手段４を作動させて洗浄槽３を所定圧力まで減圧した後、減圧手段４を停止させ、洗浄剤供給弁２９を開き、洗浄槽３内に洗浄液を設定時間引き込んで給水に投入させて洗浄液１とする。そして、設定時間が経過したら洗浄剤供給弁２９を閉じる。
【００２７】
〈加熱工程〉
洗浄剤を所定量投入したら、加熱手段８により洗浄液１を所定温度まで加熱する。所定温度まで加熱したら、洗浄槽３を所定圧力まで減圧し、給気手段５により洗浄槽３内の洗浄液１側に給気して洗浄液１を攪拌する。この動作を洗浄液１の温度が目標温度（例えば、５０℃）となるまで一定のインターバルで繰り返す。洗浄液１の温度が目標温度に到達したら、加熱手段８をＯＮ−ＯＦＦ制御することにより、目標温度を維持させる。
【００２８】
〈洗浄工程〉
洗浄液１の温度を目標温度に維持させた状態で、減圧手段４により洗浄槽３内の気体を外部へ吸引排出して洗浄槽３内の気相部の圧力を減圧して、洗浄液１の飽和蒸気圧力以下またはその直前まで下げ（例えば、目標温度から０．５℃低い温度まで下げておく。）、洗浄槽３内の洗浄液１を沸騰可能な状態とする。この状態では、通常、洗浄槽３内の洗浄液１の少なくとも一部において沸騰が生じた状態となる。
【００２９】
この状態で、給気手段５により減圧下の洗浄槽３内の洗浄液１中に被洗浄物２よりも下方から気体を導入する。この導入された気体が洗浄液１の沸騰の核となり、導入した気体と洗浄液１の境界層、特にその下層で激しい沸騰が起こり、大きな気泡が形成され、この大きく形成された気泡が上昇することで洗浄液が大きく噴き上げられて上昇し下降する。この激しい洗浄液１の上昇，下降によって、洗浄槽３内の洗浄液１が大きく揺動し、被洗浄物２が洗浄される。このような所定圧までの減圧と、その減圧による沸騰可能な状態にある洗浄液１中への気体の導入による洗浄液の上昇，下降を繰り返し（例えば、１０回前後）行うことにより被洗浄物２の洗浄を行う。
【００３０】
このようにして行われる洗浄中では、減圧手段４は継続して作動している状態にあり、上昇した洗浄液１が洗浄槽３内を減圧している減圧手段４の吸引により排気路１６の開口部１８側へ引き寄せられて移動するが、この洗浄液１の移動は排気路１６の開口部１８と対峙するように蓋体１４から垂下するようにして設けたじゃま板３２により妨げられ、じゃま板３２を伝って洗浄槽３内の洗浄液１に落下する。
【００３１】
特に、上昇して洗浄槽３の上部に有する蓋体１４に接触した洗浄液１は、その表面張力によって一定量が蓋体１４の裏面に止まっており、この洗浄液１が減圧手段４の吸引により蓋体１４を伝わって排気路１６の開口部１８側へ引き寄せられて流れるが、このような洗浄液１の排気路１６の開口部１８側への流れをじゃま板３２により妨げ、この洗浄液１をじゃま板３２を伝って洗浄槽３内の洗浄液１に落下させることができる。これにより、上昇した洗浄液１が排気路１６の開口部１８から洗浄槽３外へ持ち出されることが抑えられる（図４参照。）。
【００３２】
参考例では、じゃま板３２は、洗浄槽３内に開口する排気路１６の開口部１８よりも大きい矩形状に形成されており、そして、じゃま板３２の側端と洗浄槽３の容器本体１３の内壁との間及びじゃま板３２の下端と洗浄槽３内に供給した洗浄液１の上面との間に、通気を妨げない通気路３３，３４を保有する形状となっているので、じゃま板３２の存在が減圧手段４による洗浄槽３内の減圧の妨げにならない。
【００３３】
また、じゃま板３２は洗浄槽３の上部に有する蓋体１４に設けられているので、洗浄槽３の容器本体１３内へ被洗浄物２を収容したバスケット３５を出し入れする際の支障になることはない。
【００３４】
〈排水工程〉
被洗浄物２の洗浄が終了したら排水弁３１を開き、洗浄槽３内の洗浄液１を排出し、液位検出手段１２により洗浄液１が完全に排出されたことを確認したら排水弁３１を閉じ、排水工程を終了する。
【００３５】
〈すすぎ工程〉
前記した、給水工程、加熱工程、洗浄工程と同じ工程により行われる。すすぎ工程では、洗浄工程の前に、すすぎ剤が前記した洗浄剤の投入と同じ制御によって投入される。
【００３６】
〈排水工程〉
被洗浄物２のすすぎが終了したら排水弁３１を開いて洗浄槽３内の液体を排出し、液位検出手段１２により液体が完全に排出されたことを確認したら排水弁３１を閉じる。
前記したすすぎ工程と排水工程を複数回繰り返すことにより、参考例の洗浄装置による洗浄の全ての工程が終了する。
【００３７】
図５乃至図９は本発明に係る洗浄装置の実施の形態の第１例を示すものであり、図５は本発明に係る洗浄装置の実施の形態の第１例を示す一部省略斜視図、図６は本例に示す液受け板の他例を示す一部省略斜視図、図７は本例の洗浄装置の蓋体を閉じた状態を示す概略構成図、図８は本例の洗浄装置の非運転時に、蓋体に押さえ蓋を保持させた状態を示す一部省略斜視図、図９は本例の洗浄装置の蓋体を開いたとき、蓋体に付着した洗浄液の流下状態を示す説明図である。
【００３８】
本例の洗浄装置について、前記参考例と同一の構成については同一の符号を付しその説明を省略し、参考例と異なる構成についてのみ説明する。
本例の洗浄装置は、洗浄槽３を構成する容器本体１３の開口部を開閉する蓋体１４は、容器本体１３の開口部の一辺にヒンジ３６により回動可能に取り付けられている。蓋体１４には液受け板３７が、ヒンジ３６の近傍でかつ閉鎖時に容器本体１３の開口部内に収まる位置に、蓋体１４が取り付けられている容器本体１３の開口部の一辺と略平行に設けられている。
【００３９】
この液受け板３７は、蓋体１４に設けられているじゃま板３２と同様に、蓋体１４から垂下するようにして設けられており、その垂下長は、特に限定されないが、少なくとも蓋体１４を開いたとき、蓋体１４を伝わって流下する蓋体１４の内面に付着している液体３９を受け洗浄槽３内へ誘導し滴下させる長さに設定されている。また、液受け板３７の横幅長にあっては、蓋体１４の開閉の妨げにならない範囲で、可能な限り容器本体１３の開口部の一辺の両側辺の内壁に近づく長さであることが好ましい。
本例では、液受け板３７は、その幅方向の端部がじゃま板３２の端部と接続し一体となって、液受け板３７とじゃま板３２とで略Ｌ字状を形成しているが、図６に示すように、液受け板３７とじゃま板３２が別体となっていてもよい。
【００４０】
また、本例では、じゃま板３２と液受け板３７に、押さえ蓋３８を着脱可能に保持する押さえ蓋保持部４０，４１が設けられている。押さえ蓋３８は、洗浄槽３内に配置された最上部の被洗浄物２を収容するバスケット３５の開口部に置かれ、洗浄運転中に噴き上げられて上昇する洗浄液１に伴って上昇する被洗浄物２の損傷や散乱を防止するものとして使用される。
本例で使用される押さえ蓋３８は、バスケット３５の開口部の対応する大きさに形成された網板状に構成されており、一方の面には取っ手４２が所定の高さまで突出させて設けられている。取っ手４２の高さは、図７に示すように、押さえ蓋３８を洗浄槽３内に配置された最上部のバスケット３５の開口部に置き、蓋体１４を閉じたとき、その先端部４２ａが蓋体１４の内面（洗浄槽３側の面）に当接して下方に押さえつけられる高さに設定されている。
このように使用される押さえ蓋３８を着脱可能に保持する蓋保持部４０，４１はフック状に形成され、図８に示すように、蓋保持部４０，４１に押さえ蓋３８の縁部を係止させることにより保持できるようになっている。
【００４１】
この押さえ蓋３８を保持する前記じゃま板３２と液受け板３７に設けられた押さえ蓋受け部４０，４１にあっては、本例では、じゃま板３２に設けられた押さえ蓋受け部４０は、じゃま板３２の内側面に板状材をフック状に突出させて設けた構成となっており、液受け板３７に設けられた押さえ蓋受け部４１は、液受け板３７の端部を内側へフック状に折曲した折曲片により構成されており、押さえ蓋３８は、その一縁部がじゃま板３２に設けられた押さえ蓋受け部４０に着脱可能に係止することにより保持され、他縁部が液受け板３７に設けられた押さえ蓋受け部４１に着脱可能に係止することにより保持されるようになっている。
前記押さえ蓋受け部４０，４１の形状にあっては、押さえ蓋３８を着脱可能に受けて支持できるものであれば特に限定されない。また、本例では、じゃま板３２と液受け板３７のそれぞれに押さえ蓋受け部４０，４１が設けられているが、押さえ蓋３８を着脱可能に係止することにより保持できれば、じゃま板３２或いは液受け板３７のいずれか片方に押さえ蓋受け部４０或いは押さえ蓋受け部４１を設けたものであってもよい。
その他の構成は前記参考例と同様なので、参考例の説明を援用し、その説明を省略する。
【００４２】
このように構成された本例の洗浄装置による洗浄は、前記参考例と同様に、給水工程、洗浄剤投入工程、加熱工程、洗浄工程、排水工程、すすぎ工程、排水工程の順で行われ、同様の作用を生じる。さらに、本例の洗浄装置は、蓋体１４に、参考例の構成には存在しない液受け板３７、押さえ蓋受け部４０，４１が設けられており、液受け板３７、押さえ蓋受け部４０，４１から参考例には無い作用を生じる。よって、参考例と同様の洗浄工程および作用は参考例の説明を援用してその説明を省略し、本例の洗浄装置の独自の作用についてのみ説明する。
【００４３】
本例では、じゃま板３２と液受け板３７に、押さえ蓋３８を保持する押さえ蓋受け部４０，４１が設けられているので、蓋体１４を開いて、洗浄槽３内に被洗浄物２が収納されたバスケット３５を配置する作業時や、また洗浄槽３内から被洗浄物２が収容されたバスケット３５を取り出す作業時に、押さえ蓋３８を保持する前記じゃま板３２と液受け板３７に設けられた押さえ蓋受け部４０，４１に押さえ蓋３８の縁部を係止させて保持させることにより、蓋体１４を押さえ蓋３８の収納場所として利用することができる（図８参照。）。
そして、洗浄運転時には、押さえ蓋３８を洗浄槽３内に配置された最上部のバスケット３５の開口部に置き、蓋体１４を閉じたとき、その先端部４２ａが蓋体１４の内面（洗浄槽３側の面）に当接して下方に押さえつけるので（図７参照。）、バスケット３５の開口部が押さえ蓋３８で確実に押さえられ、噴き上げられて上昇する洗浄液１に伴って上昇する被洗浄物２の損傷や散乱を防止すことができる。
【００４４】
また、本例では、洗浄槽３を構成する容器本体１３の開口部を開閉する蓋体１４は、容器本体１３の開口部の一辺にヒンジ３６により回動可能に取り付けられており、蓋体１４には液受け板３７が、ヒンジ３６の近傍でかつ閉鎖時に容器本体１３の開口部内に収まる位置に、蓋体１４が取り付けられている容器本体１３の開口部の一辺と略平行に設けられているので、前記したすすぎ工程と排水工程を複数回繰り返すことにより、本例の洗浄装置による洗浄の全ての工程が終了した後、蓋体１４を開いたとき、図９に示すように、蓋体１４に付着していた液体３９が蓋体１４を伝わって流下したとき、この流下した液体３９は液受け板３７に受けられ、誘導されて洗浄槽３内へ滴下するので、液体３９が洗浄槽３の外へ落ちることが防止される。
【符号の説明】
【００４５】
１  洗浄液
２  被洗浄物
３  洗浄槽
４  減圧手段
５  給気手段
６  給水手段
１３  容器本体
１４  蓋体
１６  排気路
１８  開口部
３２  じゃま板
３３，３４  通気路
３６  ヒンジ
３７  液受け板
３８  押さえ蓋
３９  液体
４０，４１  押さえ蓋受け部
【図１】
0005786438.tif 000002
【図２】
0005786438.tif 000003
【図３】
0005786438.tif 000004
【図４】
0005786438.tif 000005
【図５】
0005786438.tif 000006
【図６】
0005786438.tif 000007
【図７】
0005786438.tif 000008
【図８】
0005786438.tif 000009
【図９】
0005786438.tif 000010